(57)【特許請求の範囲】
【請求項１】
剛性の表示タグが、シートに取り付けられる各種スイッチやヘッドレストに隣接する箇所においてタグ縫い代を隣合う２枚の表皮片の縫い代間に挟んで共縫いされて表皮片の表面に突き出され、共縫いされた縫い代を一方の表皮片の裏側に設け、そして、不織布テープが、その表示タグを表皮片に共縫いした接合せ部分および前記２枚の表皮片の裏面に貼り付けられてその表皮タグを他方の表皮片の表面に寝かせるところの自動車シートに用いる表皮の製造方法。
【発明の詳細な説明】
【技術分野】
【０００１】
この発明は、自動車に用いる表皮に関し、詳細には、各種スイッチの操作やヘッドレストの使い方を表示するタグ縫付けの改善に関する。
【背景技術】
【０００２】
自動車シートでは、電動シート・トラックを組み込んだり、リクライニング・デバイスが電動化される場合、それらのスイッチがシ−ト・クッションに取り付けられ、また、ヘッドレストを備えるので、それらの操作や使い方を表示したタグがそのシ−ト・クッションやシ−ト・バックの表皮に縫い付けられる傾向がある。
そして、前記表皮によって、ヘッドレスト、シ−ト・クッションやシ−ト・バックを構成する発泡体などからなるクッション材が被覆され、以上の表示タグは、隣合う表皮片間に挟んで共縫いされている。そのため、表示タグは、シート表面に立ち、表示内容が読み難くなり、また、座るときに乗員に当たって不快に感じた。
【先行技術文献】
【特許文献】
【０００３】
特開２０１０−８９７３５公報
特許第４８３７４７８号公報
【発明の概要】
【発明が解決しようとする課題】
【０００４】
この発明の課題は、表皮に共縫いされる表示タグを表皮表面に寝かせ、その表皮タグの表示内容を読み易くし、そして、着座する乗員に当って不快に感じることを回避するところの自動車シートに用いる表皮を提供するにある。
【課題を解決するための手段】
【０００５】
この発明の自動車シートに用いる表皮では、表示タグが、シートに取り付けられる各種スイッチやヘッドレストに隣接する箇所においてタグ縫い代を隣合う２枚の表皮片の縫い代間に挟んで共縫いされて表皮表面に突き出され、そして、不織布テープが、その表示タグを表皮片に共縫いした接合せ部分において表皮裏面に貼り付けられてその表示タグをその表皮表面に寝かせる。
【発明の効果】
【０００６】
この発明の自動車シートに用いる表皮では、表示タグがそれのタグ縫い代を隣合う２枚の表皮片の縫い代間に挟んで共縫いされて表皮表面に突き出されてもその表示タグは、表皮裏面に貼り付けられる不織布テープによってその表皮表面に寝かせられ、タグの方向性が規制されて定まり、見映えが向上され、そして、その表示タグの表示内容が読み易くなるに加えて、着座する乗員に当って不快に感じることが回避される。
【図面の簡単な説明】
【０００７】
【図１】ミニ・バンの６対４分割型折りたたみセカンド・シートの右側シートに活用されるところのこの発明の自動車シートに用いる表皮を部分的に示した部分表面図である。
【図２】表示タグを共縫いした接合せ部分でその表皮の裏面を示した部分裏面図である。
【図３】図１の３−３線に沿って示した断面図である。
【図４】図１を部分的に拡大して示した拡大表面図である。
【発明を実施するための形態】
【０００８】
この発明の自動車シートに用いる表皮では、表示タグが、シートに取り付けられる各種スイッチやヘッドレストに隣接する箇所においてタグ縫い代を隣合う２枚の表皮片の縫い代間に挟んで共縫いされて表皮表面に突き出され、そして、不織布テープが、その表示タグを表皮片に共縫いした接合せ部分において表皮裏面に貼り付けられてその表示タグをその表皮表面に寝かせる。
【実施例１】
【０００９】
以下、特定されて図示された具体例に基づいて、この発明の自動車シートに用いる表皮を説明するに、図1ないし図４は、この発明の自動車シートに用いる表皮の具体例１０を
活用するところのミニ・バンに用いる６対４分割型折りたたみセカンド・シート３０を部分的に示し、そして、この折りたたみセカンド・シート３０は、折りたたみセンター・シート（図示せず）を一体化させた左側折りたたみシート（図示せず）と右側折りたたみシート３１とに左右６対４に分割され、その左側折りたたみシートが、フォールド機構およびウォークイン機構を備えてシート・ベースでそのミニ・バンのボディ・フロアに据え付けられ、そして、ウォークイン時、そのウォークイン機構で左側シート・バックを前傾姿勢に保ってサード・シート（図示せず）の乗降を容易になし、また、荷室拡大時、そのフォールド機構でそのシート・ベースから前方へその左側シート・クッションを跳ね上げ、その左側シート・バックをそのシート・ベース上に前倒しさせてその左側シート・バックを荷物載せに活用可能になし、一方、その右側折りたたみシート３１は右側シート・クッション（図示せず）、左右のリクライニング・デバイス（図示せず）でその右側シート・クッションに前倒しおよびその右側シート・バック３２、およびその右側シート・バック３２に取り外し可能に取り付けられる右側ヘッドレスト（図示せず）などで組み立てられ、そして、その右側シート・クッションでそのミニ・バンのそのボディ・フロアに据え付けられる。
【００１０】
その右側シート・バック３２は、シート・バック・フレーム（図示せず）にシート・バック・パッド３３を組み付け、それにその表皮１０を被せ、固定して組み立てられる。勿論、その表皮１０は、多数の表皮片１１、１２、１３、１４から所定の形状に縫い合せられる。
【００１１】
この表皮１０では、表示タグ２０が、その右側ヘッドレストに隣接する箇所においてタグ縫い代２２，２１をその隣合う２枚の表皮片１２，１４の縫い代１５，１６間に挟んで共縫いされて表皮表面１８に突き出され、そして、不織布テープ２３が、その表示タグ２０を表皮片１２，１４に共縫いした接合せ部分１７において表皮裏面１９に貼り付けられてその表示タグ２０をその表皮表面１８に寝かせる（図１，３および４参照）。
【００１２】
その表示タグ２０には、図４に示されたようにその右側ヘッドレストの使い方が表示されている。勿論、そのセカンド・シート３０が電動シート・トラックを組み込んだり、そのリクライニング・デバイスを電動化させてそれらのスイッチをシート・クッション、シート・バックに取り付ける場合、それらの操作を表示したタグは、同様にそのシート・クッション、シート・バックの表面に縫い付けられる。
【００１３】
したがって、この表皮１０では、表示タグ２０がそれのタグ縫い代２１、２２を隣合う表皮片１２，１４の縫い代１５，１６間に挟んで共縫いされて表皮表面１８に突き出されても、その表示タグ２０は、表皮裏面１９の共縫いした接合せ部分に貼り付けられる不織布テープ２３の剛性によって共縫いした接合せ部分に、前記クッション材の弾力による引張力が、他の部分に対して作用し難いため、表皮表面１８に寝かせられる。これにより、表示タグ２０は、タグの方向性が規制されて定まり、見栄えが向上され、そして、その表示タグ２０の表示内容が読み易くなるに加えて,着座する乗員に当たって不快に感じることが回避される。
【００１４】
先に図面を参照して説明されたところのこの発明の特定された具体例から明らかである
ように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１５】
上述から理解されるように、この発明の自動車シートに用いる表皮では、表示タグが、シートに取り付けられる各種スイッチやヘッドレストに隣接する箇所においてタグ縫い代を隣合う２枚の表皮片の縫い代間に挟んで共縫いされて表皮表面に突き出され、そして、不織布テープが、その表示タグを表皮片に共縫いした接合せ部分において表皮裏面に貼り付けられてその表示タグをその表皮表面に寝かせるので、この発明の自動車シートに用いる表皮では、その表示タグが、それのタグ縫い代を隣合う２枚の表皮片の縫い代間に挟んで共縫いされて表皮表面に突き出されてもその表示タグは、表皮裏面の共縫いした接合せ部分に貼り付けられる不織布テープ２３の剛性によって共縫いした接合せ部分に、前記クッション材の弾力による引張力が、他の部分に対して作用し難いため、表皮表面に寝かせられる。これにより、表示タグは、タグの方向性が規制されて定まり、見栄えが向上され、そして、その表示タグの表示内容が読み易くなるに加えて,着座する乗員に当たって不快に感じることが回避され、その結果、自動車シートにとって非常に有用で実用的である。
【符号の説明】
【００１６】
１０  表皮
１１  表皮片
１２  表皮片
１３  表皮片
１４  表皮片
１５  縫い代
１６  縫い代
１７  接合せ部分
１８  表皮表面
１９  表皮裏面
２０  表示タグ
２１  タグ縫い代
２２  タグ縫い代
２３  不織布テープ
３０  ６対４分割型折りたたみセカンド・シート
３１  右側折りたたみシート
３２  右側シート・バック
３３  シート・バック・パッド
【図１】
0005940330.tif 000002
【図２】
0005940330.tif 000003
【図３】
0005940330.tif 000004
【図４】
0005940330.tif 000005